(57)【要約】    【課題】  フックと手縫い針の針穴を確実に同軸とすることができる手縫い針用糸通し器具を提供する。    【解決手段】  丸穴手縫い針用糸通し器具１は、丸穴手縫い針９０をその針穴９２を下側にして受容するテーパ形状の丸穴手縫い針挿入孔５と、丸穴手縫い針挿入孔５に受容された針穴９２まで糸９３を搬送するフック部３０ｂとを有し、さらに、丸穴手縫い針用糸通し器具１は、その底部のうち、丸穴手縫い針挿入孔５の下方（真下）にディスク状の磁石１０を配する。【選択図】      図２
2005192585.tif 000002
【特許請求の範囲】
【請求項１】
手縫い針の針穴を下側にして受容するテーパ形状の針受容部と、前記受容された針穴にまで糸を搬送するフック部とを有する手縫い針用糸通し器具において、
底部に磁石を備えることを特徴とする手縫い針用糸通し器具。
【請求項２】
前記磁石は、前記針受容部の下方において前記底部に配されることを特徴とする請求項１記載の手縫い針用糸通し器具。
【請求項３】
前記針受容部の直下に他の磁石を更に備えることを特徴とする請求項１又は２記載の手縫い針用糸通し器具。
【請求項４】
前記針受容部は丸穴手縫い針用の針受容部であることを特徴とする請求項１乃至３のいずれか１項に記載の手縫い針用糸通し器具。
【発明の詳細な説明】
【技術分野】
【０００１】
本発明は、手縫い針用糸通し器具に関する。
【背景技術】
【０００２】
手縫い針用糸通し器具は、近年多くの機種が開発されている。
【０００３】
例えば、手縫い針の針穴を下側にして受容する針受容部とこの針受容部内に受容された手縫い針の針穴に糸を通すためのフックとが内部に設けられ、その針受容部の内部をテーパ形状に形成することにより受容した手縫い針を回転させ、手縫い針の針穴をフックと同軸的に配向する手縫い針用糸通し器具が開示されている（例えば特許文献１参照）。
【特許文献１】米国特許第２，５０７，３７０号明細書
【発明の開示】
【発明が解決しようとする課題】
【０００４】
しかしながら、手縫い針は指の太さに比べて大変細いので、手縫い針を針受容部に挿入するときにしばしば落とすことがあり、そのような場合は、指で拾うのが困難である。
【０００５】
また、針受容部をテーパ形状としただけでは、手縫い針の針穴をフックと同軸的に配向することができず、フックが曲がったり、折れたりして破損するという問題がある。この問題は、特に穴部がテーパ状になっていない丸穴手縫い針において発生し易い。
【０００６】
本発明の目的は、落とした手縫い針を容易に拾うことができる手縫い針用糸通し器具を提供することにある。
【課題を解決するための手段】
【０００７】
上記目的を達成するために、請求項１記載の手縫い針用糸通し器具は、手縫い針の針穴を下側にして受容するテーパ形状の針受容部と、前記受容された針穴にまで糸を搬送するフック部とを有する手縫い針用糸通し器具において、底部に磁石を備えることを特徴とする。
【０００８】
請求項２記載の手縫い針用糸通し器具は、請求項１記載の手縫い針用糸通し器具において、前記磁石は、前記針受容部の下方において前記底部に配されることを特徴とする。
【０００９】
請求項３記載の手縫い針用糸通し器具は、請求項１又は２記載の手縫い針用糸通し器具において、前記針受容部の直下に他の磁石を更に備えることを特徴とする。
【００１０】
請求項４記載の手縫い針用糸通し器具は、請求項１乃至３のいずれか１項に記載の手縫い針用糸通し器具において、前記針受容部は丸穴手縫い針用の針受容部であることを特徴とする。
【発明の効果】
【００１１】
請求項１記載の手縫い針用糸通し器具によれば、底部に磁石を備えているので、落とした手縫い針を磁石により引きつけることにより容易に拾うことができる。
【００１２】
請求項２記載の手縫い針用糸通し器具によれば、磁石は針受容部の下方において底部に配されているので、手縫い針が針受容穴に挿入されたときに磁石により手縫い針を引きつけて、手縫い針の針穴をフックと同軸的に配向するのを促進することができる。
【００１３】
請求項３記載の手縫い針用糸通し器具によれば、針受容部の直下に他の磁石を更に備えるので、手縫い針が針受容穴に挿入されたときに磁石に加えて他の磁石により手縫い針を引きつけて、手縫い針の針穴をフックと同軸的に配向するのを確実に促進することができる。
【００１４】
請求項４記載の手縫い針用糸通し器具によれば、針受容部は丸穴手縫い針用の針受容部であるので、穴部がテーパ形状となっていない丸穴手縫い針に対してその針穴をフックと同軸的に配向するのを確実に促進することができる。
【発明を実施するための最良の形態】
【００１５】
以下、本発明の実施の形態を図面を用いて詳説する。
【００１６】
図１は、本発明の実施の形態に係る丸穴手縫い針用糸通し器具１は、水平方向に長尺状であると共に、鉛直面内で平たい箱形ハウジング２を備える。このハウジング２は、合成樹脂、例えばポリアセタール等の熱可塑性樹脂等で形成されている。なお、以下の記述中で、ハウジング２内の設けられる各種パーツの材料は特別の記載がない限り、ハウジング２と同様の材料で形成されている。
【００１７】
一方、丸穴手縫い針９０は、後端に丸穴の針穴９２を有し、長穴手縫い針８０は、後端に長穴の針穴８２を有する。ハウジング２の上部中央には、後述するスライド部４が装着されており、ハウジング２の一端側（図１の左側）上部には、丸穴手縫い針９０を受容する丸穴手縫い針挿入孔５（針受容部）、及び糸９３が挿入される糸挿入スリット６（糸配置部）が、ハウジング２の他端側（図１の右側）上部には、長穴手縫い針８０を受容する長穴手縫い針挿入孔７、及び糸８３が挿入される糸挿入スリット８が夫々形成されている。また、ハウジング２の上端であって、糸挿入スリット８とスライド部４の間には糸切カッター３が形成されている。
【００１８】
さらに、丸穴手縫い針用糸通し器具１は、その底部のうち、丸穴手縫い針挿入孔５の下方（真下）にφ８ｍｍ×３ｍｍのディスク状の磁石１００を備え、この磁石１００は、手縫い針８０，９０を引きつける程の磁力を有する。これにより、落とした手縫い針８０，９０を磁石により引きつけることにより容易に拾うことができる。磁石１００の配置位置が丸穴手縫い針挿入孔５の下方（真下）、即ち器具１の底部の隅であるので、落とした手縫い針８０，９０に磁石１００を合わせ易い。磁石１００による更なる作用効果は後述する。
【００１９】
丸穴手縫い針用糸通し器具１は、さらに、手縫い針挿入孔５の直下にもφ４ｍｍ×３ｍｍのディスク状の磁石１０１を備えてもよく、この磁石１０１は、手縫い針８０，９０を引きつける程の磁力を有する。これによる作用効果は後述する。
【００２０】
図２は、初期状態における図１の丸穴手縫い糸通し器具１の断面図である。
【００２１】
以下の説明では、図１を適宜参照する。
【００２２】
図２において、ハウジング２は、その一端側（図２の左側）上部に鉛直方向下向きの丸穴手縫い針挿入孔５を有する。この丸穴手縫い針挿入孔５は、ロート状の入り口５ａを有し、丸穴手縫い針９０を針穴９２を下にして受容する（図１）。
【００２３】
ハウジング２は、また、ハウジング２の中央寄りにおいて、丸穴手縫い針挿入孔５の底部近傍を先端とするハウジング２の長手方向にフックガイド溝５０を有する。このフックガイド溝５０は、丸穴手縫い針挿入孔５内に受容された丸穴手縫い針９０の針穴９２の前後を移動して糸９３を針穴９２に通すフック３０ｂ（糸押し芯金）の上部を支持するＬ字型の溝であり、後述するようにフック３０ｂを丸穴手縫い針挿入孔５に受容された針穴９２までガイドすべく円弧状に形成されている。
【００２４】
また、丸穴手縫い針挿入孔５の底部は、丸穴手縫い針９０をその針穴９２を下にして受容したときに、針穴９２がフック３０ｂと同軸的に配向するように丸穴手縫い針９０を回転させるべくテーパ形状に形成されている。
【００２５】
丸穴手縫い針挿入孔５に挿入された丸穴手縫い針９０は、丸穴手縫い針用糸通し器具１の底部のうち、丸穴手縫い針挿入孔５の下方（真下）に配されたφ８ｍｍ×３ｍｍのディスク状の磁石１００により下方に引きつけられ、丸穴手縫い針挿入孔５のテーパ形状の底部の作用により、丸穴手縫い針９０の針穴９２をフックと同軸的に配向するのを促進することができる。この作用効果は、丸穴手縫い針挿入孔５の直下にφ４ｍｍ×３ｍｍのディスク状の磁石１０１がさらに配された場合は、確実に奏することができる。
【００２６】
一方、ハウジング２は、その一端側において、丸穴手縫い針挿入孔５に関してハウジング２の他端側に隣接して鉛直方向下向きの糸挿入スリット６を有する。この糸挿入スリット６の挿入区間６ａは、糸９３の太さ以上のスリット間隔を有し、丸穴手縫い針９０の針穴９２に通す糸をハウジング２の幅方向に、フックガイド溝５０の先端まで受容する。
【００２７】
糸挿入スリット６は、上記区間の後、フックガイド溝５０の先端から丸穴手縫い針用挿入孔５に達するまでの３ｍｍの糸押しつぶし区間６ｂ（糸押さえ部）を有する。この糸押しつぶし区間６ｂは、受容される糸の巾を、フック３０ｂの巾以内とするまで押しつぶす。これにより、フック３０ｂにより糸９３の全体を係止することができ、フック３０ｂは丸穴手縫い針９０の針穴９２に糸９３を通すことができる。その概念図を図４に示す。
【００２８】
図５において、丸穴手縫い針挿入孔５を規定するハウジング２の他端側壁には、針穴９２の長手軸上にあって、糸押しつぶし区間６ｂの幅方向中央上方に丸穴手縫い針挿入孔５及びこの糸押しつぶし区間６ｂと連通する鉛直方向の糸抜きスリット５ｂが形成されている。この糸抜きスリット５ｂは、針穴９２に挿入された糸９３を当該丸穴手縫い針糸通し器具１から抜きとることも目的として設けられているものであるが、このような位置に配置することにより、フック部３０ｂの巾が糸押しつぶし区間６ｂにより押さえられた糸９３の厚みより大きくても、フック３０ｂを糸押しつぶし区間６ｂに引っ掛かることなくスムーズに移動させることができる。
【００２９】
ハウジング２は、その他端側（図２の右側）上部に鉛直方向下向きの長穴手縫い針挿入孔７を有する。この長穴手縫い針挿入孔７は、ロート状の入り口７ａを有し、長穴手縫い針８０を針穴８２を下にして受容する（図１）。
【００３０】
ハウジング２は、また、ハウジング２の中央寄りにおいて、長穴手縫い針挿入孔７の底部近傍を先端とするハウジング２の長手方向にフックガイド溝６０を有する。このフックガイド溝６０は、糸通し用のフック２３ｂの上部を支持するＬ字型の溝であり、後述するようにフック２３ｂを長穴手縫い針挿入孔７に受容された針穴８２までガイドすべく円弧状に形成されている。
【００３１】
また、長穴手縫い針挿入孔７の底部は、長穴手縫い針８０をその針穴８２を下にして受容したときに、針穴８２がフック２３ｂと同軸的に配向するように長穴手縫い針８０を回転させるべくテーパ形状に形成されている。
【００３２】
さらに、長穴手縫い針挿入孔７の底部の直下にもφ８ｍｍ×３ｍｍのディスク状の磁石を配してもよい。これにより、フック３０ｂと針穴８２をより確実に同軸とすることができる。
【００３３】
一方、ハウジング２は、その他端側において、長穴手縫い針挿入孔７に関してハウジング２の一端側に隣接して鉛直方向下向きの糸挿入スリット８を有する。この糸挿入スリット８は、糸８３の太さ以上のスリット間隔を有し、長穴手縫い針８０の針穴８２に通す糸８３をハウジング２の幅方向に、フックガイド溝６０の先端まで受容する。
【００３４】
長穴手縫い針挿入孔７を規定するハウジング２の一端側壁には、図５に示すように、針穴８２の長手軸上にあって、長穴手縫い針挿入孔７と連通する鉛直方向の糸抜きスリット７ｃが形成されている。この糸抜きスリット７ｃは、針穴８２に挿入された糸８３を当該丸穴手縫い針糸通し器具１から抜きとることも目的として設けられている。
【００３５】
また、ハウジング２は、その長手方向中央部の内部に、ハウジング２の高さ方向に延びる四角筒部１０を有する。四角筒部１０は、ハウジング２の頂部から底部近傍に達し、中に断面長方形の空洞部１１を有する。また、四角筒部１０は、ハウジング２の他端側の側壁部に長手方向切り欠き部１２を有する。
【００３６】
四角筒部１０の空洞部１１には、上端が閉鎖されていると共に下端が開口した四角筒状のスライド部４が摺動自在に収容されている。スライド部４は、上端部がハウジング２から突出しており、下端部に、四角筒部１０の長手方向切り欠き部１２に係合する突起４ａを有する。これにより、スライド部４は、四角筒部１０の長手方向の摺動範囲が規制される。また、突起４ａとハウジング２の頂部近傍にあるピン２ａとの間には、引張りバネ１４が掛け渡されており、これにより、スライド部４は上方に付勢され、突起部４ａは、長手方向切り欠き部１２の上端に当接している。
【００３７】
スライド部４は、その内部にストッパ部７０を有する。ストッパ部７０は、下端がハウジング２の一端側においてスライド部４の下端に螺着され、スライド部４の長手方向上方に延びる弾性部７０ａと、この弾性部７０ａの上端に設けられ、ハウジング２の他端側に突出した突起部７０ｂとから成る。
【００３８】
ハウジング２他端側においてスライド部４の内壁と弾性部７０ａとの間には、逆Ｔ字状のスライド部１５の垂直部１５ａがスライド部４の長手方向に摺動自在に嵌入されている。スライド部１５の水平部１５ｂの中央部下面には突起１５ｃが設けられており、この突起１５ｃとハウジング２の底面との間には圧縮バネ１６が配されている。この圧縮バネ１６の作用により、スライド部１５はスライド部４の長手方向上方に付勢され、スライド部１５の垂直部１５ａの上端がストッパ部７０の突起部７０ｂに当接している。
【００３９】
スライド部１５の水平部１５ｂには、ハウジング２の一端側において、アーム１７の一端がピン１５ｄを介して回動自在に取り付けられている。アーム１７の一端は、折り曲げられてアーム１７の図２の反時計回りへの回動を規制するストッパ１７ａを構成し、アーム１７の他端は、長手方向スリット１７ｂを有している。ピン１５ｄには、アーム１７を図２の反時計回りに付勢する戻しバネ１５ｆが設けられている。戻しバネ１５ｆの作用により、スライド部４が押された場合において、フック部３０ｂのハウジング２の一端側への移動が妨害されたときに、アーム１７が内側に回動することにより、フック部３０ｂに加えられる負荷を低減してフック部３０ｂが曲がったり折れたりして破損することを防止することができる。
【００４０】
スライド部１５の水平部１５ｂには、ハウジング２の他端側において、アーム１８の一端がピン１５ｅを介して回動自在に取り付けられている。アーム１８の一端は、折り曲げられてアーム１８の図２の時計回りへの回動を規制するストッパ１８ａを構成し、アーム１８の他端は、長手方向スリット１８ｂを有する。ピン１５ｅには、アーム１８を図２で時計回りに付勢する戻しバネ１５ｇが設けられている。戻しバネ１５ｇの作用により、スライド部４が押された場合において、フック部２３ｂのハウジング２の他端側への移動が妨害されたときに、アーム１８が内側に回動することにより、フック部２３ｂに加えられる負荷を低減してフック部２３ｂが曲がったり折れたりして破損することを防止することができる。
【００４１】
ハウジング２は、さらに、その一端側下部の軸２ｃを介して回動自在に取り付けられた揺動アーム２１と、他端側下部の軸２ｄを介して回動自在に取り付けらえた揺動アーム２３とを備える。揺動アーム２１は、アーム１７のスリット１７ｂに係合するピン２１ａを有し、揺動アーム２３は、アーム１８のスリット１８ｂに係合するピン２３ａを有する。これにより、スライド１５の上下移動に応じてアーム１７，１８を介して揺動アーム２０，２１は揺動する。
【００４２】
揺動アーム２１の上端には、糸９３を針穴９２に通すためのフック部３０ｂが螺着されている。このフック部３０ｂは、フックガイド溝５０に沿って往復移動すべくハウジング２の一端側に延びると共に、その上端は、ピン２ｃの中心からアーム２１の実質的長さを半径とする円弧状となっている。フックガイド溝５０とフック部３０ｂは曲率が同一である。
【００４３】
フック部３０ｂは、針穴９２の直径より薄い金属板であり、その材料は、例えばステンレス鋼製である。フック部３０ｂの先端は、ハウジング２の幅方向に配された糸９３を跨ぐように上下二又状である。これにより、上下二又状のフック部３０ｂと糸押しつぶし区間６ｂとの関係を直交状態にすることができ、もって糸押しつぶし区間６ｂ内で押しつぶされた糸９３を効率よく針穴９２に通すことができる。
【００４４】
揺動アーム２３の上端には、糸８３を針穴８２に通すためのフック部２３ｂが螺着されている。このフック部２３ｂは、フックガイド溝６０内に沿って往復移動すべくハウジング２の他端側に延びると共に、その上端は、ピン２ｄの中心からアーム２３の実質的長さを半径とする円弧状となっている。フックガイド溝６０とフック部２３ｂは曲率が同一である。
【００４５】
フック部２３ｂは、針穴８２の幅より薄い金属板であり、その材料としては、例えばステンレス鋼製である。フック部２３ｂの先端は、ハウジング２の幅方向に配された糸８３を跨ぐように上下二又状である。
【００４６】
以下図１の丸穴用手縫い針糸通し器具１の動作を説明する。
【００４７】
（１）  初期状態（図２）
まず、図２の初期状態において、丸穴手縫い針９０をその針穴９２を下にして丸穴手縫い針挿入孔５に挿入すると、磁石１０の磁力により丸穴手縫い針挿入孔５の底部に丸穴手縫い針９０が引き寄せられ、丸穴手縫い針９０は、針穴９２がフック部３０ｂと同軸になるように回転する。
【００４８】
次いで、糸９３を糸挿入スリット６に挿入すると、糸９３はハウジング２の幅方向に配向された上で、糸挿入スリット６の糸押しつぶし区間６ｂでフック部３０ｂの巾以内にまで薄くなるように押しつぶされた状態で保持される。
【００４９】
（２）糸通し状態（図３，図６）
図２の初期状態において、スライド部４が上から押されると（図２のＡ方向）、スライド部４が下方にスライドし、同時に、突起７０ｂに係合したスライド部１５、ひいてはアーム１７も下方に移動する。これに伴い、アーム１７の長手方向スリット１７ｂにピン２１ａが係合した揺動アーム２１が図２中反時計回りに回動して、フック部３０ｂがフックガイド溝５０に沿ってをハウジング２の一端側に向かって移動する（図６）。これにより、糸押しつぶし区間６ｂに保持された糸９３（図６において不図示）を係止してフック部３０ｂの先端が針穴９２（図６において不図示）を通過することにより、糸９３を針穴９２に通す。また、糸押しつぶし区間６ｂは、図５に示すようにその両側に逃げ５ｃが形成されているので、図３（ａ）に示すように、糸９３は糸抜きスリット５ｂの両側にある２つの線状部分によって押しつぶされる。これにより、糸押しつぶし区間６ｂで押さえられることにより生じる糸９３の静止摩擦力を小さくするすることができ、フック部３０ｂが糸９３を係止して針穴９２にもっていくときに破損等することを防止できる。
【００５０】
フック部３０ｂのハウジング２の一端側への移動が妨害されたときは、アーム１７が、戻しバネ１５ｆの作用により内側に回動することにより、フック部３０ｂに加えられる負荷を低減してフック部３０ｂが曲がったり折れたりして破損することを防止することができる。
【００５１】
（３）フック部引き抜き状態（図７）
糸通し状態（図６）から、さらに、スライド部４を下方に押すと、押し下げられたスライド４に設けられたストッパ部７０の弾性部７０ａをハウジング２の一端側に撓ませ、突起部７０ｂがスライド部１５の垂直部１５ａから外れる。これにより、スライド部１５が圧縮バネ１６の作用により上方に移動し、これに伴い、アーム１７の長手方向スリット１７ｂにピン２１ａが係合した揺動アーム２１が図２中時計回りに回動して、フック部３０ｂがフックガイド溝５０内をハウジング２の他端側に移動して、針穴９２（図７において不図示）、ひいてはフックガイド溝５０に沿って引き抜かれる（図７）。この際、糸通し状態において、針穴９２に通された糸９３は、フック部３０ｂの移動に伴うことなく針穴９２に通されたままの状態で残る。
【００５２】
スライド部１５の上方への移動は、ピン２１ａがアーム１７の長手方向スリット１７ａの下端に当接するまで行われ、次いで、スライド部４の押圧をやめると、引っ張りバネ１４の作用によりスライド部４が上方に移動して、図２の初期状態に戻る。
【００５３】
以上の説明は、丸穴手縫い針挿入孔５に挿入された丸穴手縫い針９０に糸９３を通す場合に着目して行ったが、長穴手縫い針挿入孔７に挿入された長穴手縫い針８０に糸８３を通す場合も同様である。但し、糸挿入スリット６と違い、糸挿入スリット８には糸押しつぶし区間６ｂがなく、初期状態において、糸９３はフックガイド溝６０の先端部分に配される点が異なる。
【００５４】
上記実施の形態では、磁石１１０，１０１を丸穴手縫い針挿入孔５側のみに設けた場合を対象としたが、丸穴手縫い針用糸通し器具１は、その底部のうち、長穴手縫い針挿入孔７の下方（真下）にφ８ｍｍ×３ｍｍのディスク状の磁石（付図示）を備えてもよく、さらに、長穴手縫い針挿入孔７の直下にもφ４ｍｍ×３ｍｍのディスク状の磁石（不図示）を備えてもよい。これによる作用効果は上記磁石１００，１０１と同様である。
【００５５】
本実施の形態に係る丸穴糸通し手縫い針糸通し器具１は、丸穴糸通し手縫い針用のものと長穴糸通し手縫い針用のものを夫々１つずつ備えているが、丸穴糸通し手縫い針用であって、太針用と細針用を夫々１つずつ備えていてもよい。
【図面の簡単な説明】
【００５６】
【図１】本発明の実施の形態に係る丸穴手縫い針糸通し器具の斜視図である。
【図２】初期状態における図１の丸穴手縫い針糸通し器具１の断面図である。
【図３】図１における丸穴手縫い針挿入孔５の底部近傍の拡大図であり、（ａ）は上断面図であり、（ｂ）は図３（ａ）の線IIIｂ−IIIｂに沿う断面図であり、（ｃ）は図３（ａ）の線IIIｃ−IIIｃに沿う断面図である。
【図４】図１における丸穴手縫い針８０の針穴８２に糸８３を通す際の原理の概念図である。
【図５】図１における長穴手縫い針９０の針穴９２に糸９３を通す際の原理の概念図である。
【図６】図１の丸穴手縫い針糸通し器具１の糸通し状態を説明する断面図である。
【図７】図１の丸穴手縫い針糸通し器具１のフック部引き抜き状態を説明する断面図である。
【符号の説明】
【００５７】
１  丸穴手縫い針用糸通し器具
２  ハウジング
５  丸穴手縫い針挿入孔
３０ｂ  フック部
９０  丸穴手縫い針
９２  針穴
１００，１０１  磁石
【図１】
2005192585.tif 000003
【図２】
2005192585.tif 000004
【図３】
2005192585.tif 000005
【図４】
2005192585.tif 000006
【図５】
2005192585.tif 000007
【図６】
2005192585.tif 000008
【図７】
2005192585.tif 000009